(57)【要約】【課題】  本発明は，限られた病室内スペースを有効活用し，通路を確保しつつも，個室内のスペースを確保できる病室用パネルユニットを提供することを目的とする。【解決手段】  病室用パネルユニットは，第１の側壁用パネル２，第２の側壁用パネル３ａ，３ｂ，第３の側壁用パネル６，第４の側壁用パネル７，及びレール１１を具備する。そして，第４の側壁用パネル７の最外部は，レール１１の最内部と空間を隔てる。第４の側壁用パネル７の最外部が，レール１１の最内部と空間を隔てるので，通路を構成する第４の側壁用パネル７の最外部の間隔を確保できる。【選択図】図１
2011047264.tif 000002
【特許請求の範囲】
【請求項１】
２つの個室に共通な側壁である第１の側壁用パネル（２）と；
第１の側壁用パネル（２）の両端部から垂直に延在する第２の側壁を構成する第２の側壁用パネル（３ａ，３ｂ）と；
第１の側壁用パネル（２）から垂直に延在し，２つの個室を区分する第３の側壁を構成する第３の側壁用パネル（６）と；
第３の側壁用パネル（６）の端部から垂直に延在する第４の側壁を構成する第４の側壁用パネル（７）と；
２つの第２の側壁用パネル（３ａ，３ｂ）間を連結するレール（１１）を具備する，病室用パネルユニットであって，
第４の側壁用パネル（７）の最外部は，レール（１１）の最内部と空間を隔てる，
病室用パネルユニット。
【請求項２】
第４の側壁用パネル（７）の最外部は，レール（１１）の最内部と５ｃｍ以上５０ｃｍ以下隔てる，
請求項１に記載の病室用パネルユニット。
【請求項３】
レール（１１）は，カーテンを吊り下げるものである，
請求項１に記載の病室用パネルユニット。
【請求項４】
２つの第２の側壁用パネル（３ａ，３ｂ）のうち少なくとも一方には，
第２の側壁用パネル（３ａ，３ｂ）の外部に設けられた床頭台（１２）を有し，
第２の側壁用パネル（３ａ，３ｂ）は，床頭台（１２）と，個室とを接続するための穴を有するパネルであり，
これにより，個室内から第２の側壁用パネル（３ａ，３ｂ）の穴を介して，床頭台（１２）を利用することができる，
請求項１に記載の病室用パネルユニット。
【請求項５】
２つの第２の側壁用パネル（３ａ，３ｂ）のうち少なくとも一方には，
第２の側壁用パネル（３ａ，３ｂ）の外部に設けられた床頭台（１２）を有し，
第２の側壁用パネル（３ａ，３ｂ）は，床頭台（１２）と，個室とを接続するための穴を有するパネルであり，
穴は，第２の側壁用パネル（３ａ，３ｂ）の外部に存在する柱（１３）を避けて設けられたものであり，
これにより，個室内から第２の側壁用パネル（３ａ，３ｂ）の穴を介して，床頭台（１２）を利用することができるとともに，柱（１３）に隣接する空間に床頭台（１２）を設置することができる，
請求項１に記載の病室用パネルユニット。
【請求項６】
２つの個室に共通な側壁である第１の側壁用パネル（２）と；
第１の側壁用パネル（２）の両端部から垂直に延在する第２の側壁を構成する第２の側壁用パネル（３ａ，３ｂ）と；
第１の側壁用パネル（２）から垂直に延在し，２つの個室を区分する第３の側壁を構成する第３の側壁用パネル（６）と；
２つの第２の側壁用パネル（３ａ，３ｂ）間を連結するレール（１１）を具備する，病室用パネルユニットであって，
第３の側壁用パネル（６）の第１の側壁用パネル（２）の端部と反対側の端部は，レール（１１）と空間を隔てる，
病室用パネルユニット。
【発明の詳細な説明】
【技術分野】
【０００１】
本発明は，病室用パネルユニットに関する。より詳しく説明すると，本発明は病院などの医療機関において用いられ，複数のパネルを組み立てることにより，簡易に組み立てることができる病室用パネルユニットなどに関する。
【背景技術】
【０００２】
特許第４１８７１７３号公報には，病室用パネルユニットが開示されている。図７に示すように，この公報の図７には，レール６５を有する側壁用パネル７が開示されている。そして，レール７にカーテン６２，６４が取り付けられている。
【先行技術文献】
【特許文献】
【０００３】
【特許文献１】特許第４１８７１７３号公報（図７）
【発明の概要】
【発明が解決しようとする課題】
【０００４】
病室内に２つの病室用パネルユニットを設置した場合，２つの病室用パネルユニットの間部分が通路となる。このため，従来の病室用パネルユニットにおいて，レール６５の空間を確保すると，側壁用パネル７が突き出してしまい通路が狭くなるという問題があった。
【０００５】
病室内に柱が存在する場合がある。このような病室に病室用パネルユニットを設置すると無駄なスペースができるという問題がある。
【０００６】
そこで，本発明は，限られた病室内スペースを有効活用し，通路を確保しつつも，個室内のスペースを確保できる病室用パネルユニットを提供することを目的とする。
【課題を解決するための手段】
【０００７】
本発明の第１の側面は，２つの個室に共通な側壁である第１の側壁用パネル２と；第１の側壁用パネル２の両端部から垂直に延在する第２の側壁を構成する第２の側壁用パネル３ａ，３ｂと；第１の側壁用パネル２から垂直に延在し，２つの個室を区分する第３の側壁を構成する第３の側壁用パネル６と；第３の側壁用パネル６の端部から垂直に延在する第４の側壁を構成する第４の側壁用パネル７と；２つ第２の側壁用パネル３ａ，３ｂ間を，連結するレール１１を具備する，病室用パネルユニットに関する。
【０００８】
そして，第４の側壁用パネル７は，レール１１と空間を隔てるように設計される。第４の側壁用パネル７の最外部が，レール１１の最内部と空間を隔てるようにされるので，通路を構成する第４の側壁用パネル７の最外部の間隔を確保できる。
【０００９】
病室用パネルユニットの好ましい態様は，第４の側壁用パネル７の最外部は，レール１１の最内部と５ｃｍ以上５０ｃｍ以下隔てるものである。
【００１０】
病室用パネルユニットの好ましい態様は，レール１１が，カーテンを吊り下げるものである。
【００１１】
病室用パネルユニットの好ましい態様は，２つの第２の側壁用パネル３ａ，３ｂのうち少なくとも一方には，第２の側壁用パネル３ａ，３ｂの外部に設けられた床頭台１２を有し，第２の側壁用パネル３ａ，３ｂは，床頭台１２と，個室とを接続するための穴を有するパネルである。これにより，この病室用パネルユニットは，個室内から第２の側壁用パネル３ａ，３ｂの穴を介して，床頭台１２を利用することができる。
【００１２】
病室用パネルユニットの好ましい態様は，２つの第２の側壁用パネル３ａ，３ｂのうち少なくとも一方には，第２の側壁用パネル３ａ，３ｂの外部に設けられた床頭台１２を有し，第２の側壁用パネル３ａ，３ｂは，床頭台１２と，個室とを接続するための穴を有するパネルである。そして，穴は，第２の側壁用パネル３ａ，３ｂの外部に存在する柱１３を避けて設けられたものである。これにより，この病室用パネルユニットは，個室内から第２の側壁用パネル３ａ，３ｂの穴を介して，床頭台１２を利用することができるとともに，柱１３に隣接する空間に床頭台１２を設置することができる。
【００１３】
本発明の病室用パネルユニットのある態様のものは，２つの個室に共通な側壁である第１の側壁用パネル２と；第１の側壁用パネル２の両端部から垂直に延在する第２の側壁を構成する第２の側壁用パネル３ａ，３ｂと；第１の側壁用パネル２から垂直に延在し，２つの個室を区分する第３の側壁を構成する第３の側壁用パネル６と；２つ第２の側壁用パネル３ａ，３ｂ間を連結するレール１１を具備する。そして，第３の側壁用パネル６の第１の側壁用パネル２の端部と反対側の端部は，レール１１と空間を隔てる。すなわち，この病室用パネルユニットは，第４の側壁用パネルを必須としないものである。
【発明の効果】
【００１４】
本発明の病室用パネルユニットは，第４の側壁用パネル７の最外部が，レール１１の最内部と空間を隔てるようにされるので，通路を構成する第４の側壁用パネル７の最外部の間隔を確保できる。
【００１５】
本発明の病室用パネルユニットのある態様のものは，第２の側壁用パネル３ａ，３ｂが，床頭台１２と，個室とを接続するための穴を有するパネルである。この病室用パネルユニットは，個室内から第２の側壁用パネル３ａ，３ｂの穴を介して，床頭台１２を利用することができる。これにより，病室内に柱が存在する場合であっても，柱の付近のスペースを有効に利用することができる。
【００１６】
このように，本発明によれば，限られた病室内スペースを有効活用し，通路を確保しつつも，個室内のスペースを確保できる病室用パネルユニットを提供することができる。
【図面の簡単な説明】
【００１７】
【図１】図１は，本発明の病室用パネルユニットの例を示す斜視図である。
【図２】図２は，本発明の病室用パネルユニットの配置を説明するための図である。
【図３】図３は，本発明の病室用パネルユニットの配置を説明するための図である。
【図４】図４は，本発明の病室用パネルユニットの設計図例である。
【図５】図５は，本発明の病室用パネルユニットの上記とは別の例を示す斜視図である。
【図６】図６は，本発明の病室用パネルユニットの上記とは別の例を示す斜視図である。
【図７】図７は，特許第４１８７１７３号公報の図７である。
【発明を実施するための最良の形態】
【００１８】
以下，実施例を用いて本発明を具体的に説明する。本発明は，以下の実施例に限定されず，当業者に自明な範囲で適宜修正することができるものである。
【実施例１】
【００１９】
図１は，本発明の病室用パネルユニットの例を示す斜視図である。図１に示すように，この病室用パネルユニットは，第１の側壁用パネル２，第２の側壁用パネル３ａ，３ｂ，第３の側壁用パネル６，第４の側壁用パネル７，及びレール１１を具備する。図中，符号２５はロッカーを示し，符号２６は机を示し，符号２７は，第３の側壁用パネルに設けられた窓を示す。
【００２０】
第１の側壁用パネル２は，２つの個室に共通な側壁である。第２の側壁用パネル３ａ，３ｂは，第１の側壁用パネル２の両端部から垂直に延在し，第２の側壁を構成するものである。
【００２１】
第３の側壁用パネル６は，第１の側壁用パネル２から垂直に延在し，２つの個室を区分する第３の側壁を構成するものである。このパネル６は，第１の側壁用パネルとＴ字状に交わるものが好ましい。また，第３の側壁用パネル６は，第２の側壁用パネル３ａ，３ｂより低いものが好ましい。第３の側壁用パネル６が，第２の側壁用パネル３ａ，３ｂより低い場合は，２つの個室の間で，照明や天井に備え付けられた消化設備を共有することができる。第３の側壁用パネル６と，第２の側壁用パネル３ａ，３ｂとの高さの差として１０ｃｍ以上１ｍ以下があげられ，２０ｃｍ以上６０ｃｍ以下でもよく，３０ｃｍ以上５０ｃｍ以下でもよい。
【００２２】
第４の側壁用パネル７は，第３の側壁用パネル６の端部から垂直に延在する第４の側壁を構成するものである。第４の側壁用パネル７の幅が広いと，個室が常に狭くなる。一方，第４の側壁用パネル７の幅が狭いと，隣接する個室の仕切りが不明瞭になる。そこで，第４の側壁用パネル７の幅として，５ｃｍ以上３ｍ以下があげられ，１０ｃｍ以上２ｍ以下でもよく，３０ｃｍ以上１．５ｍ以下が好ましく，５０ｃｍ以上１ｍ以下がより好ましい。      
【００２３】
第４の側壁用パネル７は，第３の側壁用パネル６の端部そのものであってもよい。この場合，第４の側壁用パネル７の幅は，第３の側壁用パネル６の厚みと同じ厚さであってもよい。また，第４の側壁用パネル７と第３の側壁用パネル６とが別々に分離できるものであっても，一体として製造され，分離できないものであってもよい。この場合，本発明の病室用パネルユニットは，第３の側壁用パネル６の第１の側壁用パネル２の端部と反対側の端部が，レール１１と空間を隔てる病室用パネルユニットといえる。この態様の病室用パネルユニットにおいても，本明細書における各種構成を適宜採用できる。
【００２４】
レール１１は，２つ第２の側壁用パネル３ａ，３ｂ間を連結するものである。このレールは，第３の側壁用パネル６の第１の側壁用パネル２の端部と反対側の端部より先の部分を経由して，２つ第２の側壁用パネル３ａ，３ｂ間を連結するものである。このレール１１は，カーテンなどの仕切りを連絡させることができる。レール１１は，カーテンなどを連絡させるものであるから，２つ第２の側壁用パネル３ａ，３ｂの上部間を結ぶものが好ましい。病室用パネルユニットの好ましい態様は，レール１１が，カーテンを吊り下げるものである。
【００２５】
そして，第４の側壁用パネル７の最外部は，レール１１の最内部と空間を隔てるようにされる。第４の側壁用パネル７の最外部とは，第３の側壁用パネル６を延長した方向における，第４の側壁用パネル７のうち第１の側壁用パネル２から最も離れている部位を意味する。一方，レール１１の最内部とは，第３の側壁用パネル６を延長した位置における，レール１１の個室内に面する部位を意味する。第４の側壁用パネル７の最外部が，レール１１の最内部と空間を隔てるので，通路を構成する第４の側壁用パネル７の最外部の間隔を確保できる。病室用パネルユニットの好ましい態様は，第４の側壁用パネル７の最外部は，レール１１の最内部と５ｃｍ以上５０ｃｍ以下隔てるものである。この間隔は，１０ｃｍ以上４０ｃｍ以下でもよく，１５ｃｍ以上４０ｃｍ以下でもよい。この間隔には，レール１１と第４の側壁用パネル７とを接続するための接続部２１が設けられてもよい。この接続部２１が存在するため，レール１１が第４の側壁用パネル７に固定されることとなる。すなわち，この場合，レール１１，接続部２１，第４の側壁用パネル７，第３の側壁用パネル６の順に病室用パネルユニットの外側から内側へ位置することとなる。
【００２６】
図２は，本発明の病室用パネルユニットの配置を説明するための図である。図２に示されるように，ベッドが収容されていない場合は，第４の側壁用パネル７の間部分が通路２３として機能する。この間隔はレール１１の間隔より広いので，通路部分を広く取ることができる。これにより，ベッドを容易に個室に設置できる。
【００２７】
図３は，本発明の病室用パネルユニットの配置を説明するための図である。図３に示されるように，ベッド２９は，レール１１内部であって，第４の側壁用パネル７よりもレール側１１までに収容される。ベッド２９がレール１１内部に収容されるので，個室のプライバシーが守られる。また，ベッド２９が折りたたみ式の場合，ベッドをたたんだ際には，図２に示すような通路２３を確保できる。このようにすることで個室を広く感じさせることができる。
【００２８】
図４は，本発明の病室用パネルユニットの設計図例である。この例では，第４の側壁用パネル７の幅が７３ｃｍとされている。また，第４の側壁用パネル７とレール１１との間隔が１７ｃｍとされている。そして，第３の側壁用パネル６の上部の天井には２つの個室に共通となる照明が取り付けられている。この例では，第２の側壁用パネル３ａ，３ｂ側に床頭台１２が設けられている。
【００２９】
本発明の病室用パネルユニットにおける側壁用パネルの材質は特に限定されず，公知のものを適宜用いることができる。具体的な，側壁用パネルの面材として，カラー鋼板，亜鉛メッキ鋼板，プレコート鋼板，冷間圧延鋼板，その他の金属加工板鉄，銅，黄銅，リン青銅，洋白，クローム銅，ベリリウム銅，真鍮，亜鉛メッキ鋼板トタン，スズメッキ鋼板ブリキ，アルミ，銅，ステンレス，ニッケル合金，マグネシウム，チタンなど，ポリエステル化粧合板，高圧メラニン樹脂化粧板，塩ビ鋼板，強化プラスチック板，不燃化粧板，プラスターボード，石膏ボード，ガラス板，樹脂ガラス板，針葉樹ラーチやラワンなどの構造用合板，その他の木材加工板を用いることができる。これらの中では，安らぎと安心感を与えるので，木製材料のパネルを用いるものが好ましい。すなわち，本発明は，本来利便性の高い病室用ユニットを提供することを目的としているから，そのような観点からは金属製のパネルユニットを用いることが好ましいといえる。しかしながら，木がもつ温かみを与えるために，あえて木材を用いることが好ましい。なお，パネルユニットの表面を桐油でコーティングしたものは，木の木目を引き立てるだけではなく，長期間病室用ユニット内で過ごす患者にとって特に安心感を与える芳香を与えるので，利便性が高く，好ましい。すなわち，表面塗装剤は多数の種類があるけれども，それらの中では桐油又は桐油を含む塗装剤を用いることが好ましい。
【００３０】
また，本発明の病室用パネルユニットに係る壁面用パネルの断熱効果を高めるため，板状断熱材押出法ポリスチレン保温板，フェノール系，ビーズ法ポリスチレン，インシュレーションボードなどを用いることもできる。
【００３１】
本発明の病室用パネルユニットにおける側壁用パネルの高さは，特に限定されないが，それを設置する屋内の天井高床から天井までの高さを考慮して決定すればよい。建築基準法で居室として必要な天井高は２ｍ１０ｃｍ以上，住宅金融公庫の融資基準では２ｍ３０ｃｍ以上と定められており，最近のマンションでは，２．４ｍ以上が一般的になってきている。また，スラブと天井板の間に十分な厚さがあり，二重床・二重天井となっている場合，くぼみが設けてある可能性があり，その際の天井高は２ｍ８０ｃｍ程度である。よって，本発明の病室用パネルユニットに係る壁面用パネルの高さも１ｍ５０ｃｍ以上２ｍ８０ｃｍ以下があげられ，１ｍ８０ｃｍ以上２ｍ５０ｃｍ以下でもよく，１ｍ８０ｃｍ以上２ｍ以下でもよい。
【００３２】
また，本発明の病室用パネルユニットに係る側壁用パネルの幅は，以下の要件を考慮して決定すればよい。シングル用ベッドは横幅が１ｍ程度，縦幅が２ｍ程度である。さらに，最低限のスペースとして，ベッドの側面に収納や物置に使用できる机またはタンス等を置くスペースとして６０ｃｍ程度を確保し，また他方のベッドの側面に通路等のスペースとして６０ｃｍ程度を確保する必要である。
【００３３】
本発明の病室用パネルユニットに係る側壁用パネルの厚さは，適宜調整すればよい。側壁用パネルの厚さは，強度や防音性，重量などの観点から適宜調整すればよく，具体的には１ｃｍ以上１０ｃｍ以下があげられ，３ｃｍ以上１０ｃｍ以下が好ましく４ｃｍ以上５ｃｍ以下でもよい。また，側壁用パネルの厚さは，その内面に仕切り部を具備する場合は，側壁用パネルの厚さより厚くすることが望ましい。具体的な厚さとして，５ｃｍ以上３０ｃｍ以下があげられ，５ｃｍ以上２０ｃｍ以下が好ましく５ｃｍ以上１０ｃｍ以下でもよい。
【００３４】
遮音性を確保するため，骨組を表面材と裏打材で挟んだ構造のパネルを用いた場合，パネルの厚さとして５０ｍｍ以上７０ｍｍ以下が好ましい。これにより，パネルの材質によるがパネルの遮音性能は５００ｈｚで４５ｄＢ程度となり，仮に壁面用パネルを天井に接地させて，出入口として用いる仕切り部を閉じた場合，会議室等と同様の遮音性能を有する。よって，それ相当の音量を発生させる医療機器を用いた場合でも，隣室への騒音の影響を防ぐことができる。
【００３５】
基本的な壁面用パネルの製造法としては，二枚の表面材としてのパネルの間にペーパーコアを挟み，フレームとしてアルミ押切形材を用いる。下側には，巾木とその位置や高さの微調整のための巾木ジャッキを巾木の上部であり，二枚の表面材の間に内在させる。上側のフレームとして場合によっては天井レール等を用いてもよい。また，両側には柱や連結材の役目を果たすポストを用い，ポストカバーを用いてその継ぎ目をカバーする。光彩を得るためにガラスを用いる場合には，その四隅にガラスキーパーを用いフレーム，天井レール，ポスト間に固定することができる。
【実施例２】
【００３６】
図５は，本発明の病室用パネルユニットの上記とは別の例を示す斜視図である。この例では，床頭台１２が，机２６の天板の下に設置されている。そして，床頭台１２，机２６及びロッカー２５が，第３の側壁用パネル６に面するように設置されている。この病室用パネルユニットは，比較的狭い病室に病室用パネルユニットを設置する場合に有効である。この病室用パネルユニットは，図５に示されるように，第１の側壁用パネル２と，第２の側壁用パネル３ａ，３ｂとにより構成される角部分にテレビ台又はモニタ台３１が設置されてもよい。
【実施例３】
【００３７】
図６は，本発明の病室用パネルユニットの上記とは別の例を示す斜視図である。病室用パネルユニットの好ましい態様は，２つの第２の側壁用パネル３ａ，３ｂのうち少なくとも一方には，第２の側壁用パネル３ａ，３ｂの外部に設けられた床頭台１２を有し，第２の側壁用パネル３ａ，３ｂは，床頭台１２と，個室とを接続するための穴を有するパネルである。これにより，この病室用パネルユニットは，個室内から第２の側壁用パネル３ａ，３ｂの穴を介して，床頭台１２を利用することができる。
【００３８】
第２の側壁用パネル３ａ，３ｂの穴は，第２の側壁用パネル３ａ，３ｂの外部に存在する柱１３を避けて設けられたものである。これにより，この病室用パネルユニットは，個室内から第２の側壁用パネル３ａ，３ｂの穴を介して，床頭台１２を利用することができるとともに，柱１３に隣接する空間に床頭台１２を設置することができる。
【００３９】
そして，この穴の大きさは，床頭台１２を利用できる大きさであることが好ましい。床頭台１２には，通常冷蔵庫が設置される。このため，第２の側壁用パネル３ａ，３ｂの穴は，小型冷蔵庫，又は大型冷蔵庫の扉を開閉できる大きさであることが望ましい。第２の側壁用パネル３ａ，３ｂの穴の幅は４０ｃｍ以上１．５ｍ以下があげられ，５０ｃｍ以上１ｍ以下が好ましく，５５ｃｍ以上７０ｃｍ以下であればより好ましい。
【産業上の利用可能性】
【００４０】
本発明の病室用パネルユニットは，簡易かつ利便性が高い簡易病室を作成できるので，医療用の建設業などの分野で好適に利用される。
【符号の説明】
【００４１】
２  第１の側壁用パネル
３ａ，３ｂ  第２の側壁用パネル
６  第３の側壁用パネル
７  第４の側壁用パネル
１１  レール
１２  床頭台
１３  柱
【図１】
2011047264.tif 000003
【図２】
2011047264.tif 000004
【図３】
2011047264.tif 000005
【図４】
2011047264.tif 000006
【図５】
2011047264.tif 000007
【図６】
2011047264.tif 000008
【図７】
2011047264.tif 000009
【手続補正書】
【提出日】平成22年11月4日(2010.11.4)
【手続補正１】
【補正対象書類名】特許請求の範囲
【補正対象項目名】全文
【補正方法】変更
【補正の内容】
【特許請求の範囲】
【請求項１】
２つの個室に共通な側壁である第１の側壁用パネル（２）と；
第１の側壁用パネル（２）の両端部から垂直に延在する第２の側壁を構成する第２の側
壁用パネル（３ａ，３ｂ）と；
第１の側壁用パネル（２）から垂直に延在し，２つの個室を区分する第３の側壁を構成
する第３の側壁用パネル（６）と；
第３の側壁用パネル（６）の端部から垂直に延在する第４の側壁を構成する第４の側壁
用パネル（７）と；
２つの第２の側壁用パネル（３ａ，３ｂ）間を連結するレール（１１）を具備する，病
室用パネルユニットであって，
第４の側壁用パネル（７）の最外部は，レール（１１）の最内部と空間を隔て，
２つの第２の側壁用パネル（３ａ，３ｂ）のうち少なくとも一方には，
第２の側壁用パネル（３ａ，３ｂ）の外部に設けられた床頭台（１２）を有し，
第２の側壁用パネル（３ａ，３ｂ）は，床頭台（１２）と，個室とを接続するための穴
を有するパネルであり，
これにより，個室内から第２の側壁用パネル（３ａ，３ｂ）の穴を介して，床頭台（１
２）を利用することができる，
病室用パネルユニット。
【請求項２】
２つの第２の側壁用パネル（３ａ，３ｂ）のうち少なくとも一方には，
第２の側壁用パネル（３ａ，３ｂ）の外部に設けられた床頭台（１２）を有し，
第２の側壁用パネル（３ａ，３ｂ）は，床頭台（１２）と，個室とを接続するための穴
を有するパネルであり，
穴は，第２の側壁用パネル（３ａ，３ｂ）の外部に存在する柱（１３）を避けて設けら
れたものであり，
これにより，個室内から第２の側壁用パネル（３ａ，３ｂ）の穴を介して，床頭台（１
２）を利用することができるとともに，柱（１３）に隣接する空間に床頭台（１２）を設
置することができる，
請求項１に記載の病室用パネルユニット。